(57)【要約】【課題】騒音防止用として別部品であるウレタンスラブ等の緩衝材を用いることなく騒音を防止する。【解決手段】インストルメントパネル本体５に形成されたエアバッグドア部１１に対応するシューティング口１９を有する平面視略矩形の枠体１３の内面に、エアバッグケース２７と当接ないし微小間隔をあけて近接する突出片４１を内方に向かって一体に突設する。【選択図】      図１
2004338525.tif 000002
【特許請求の範囲】
【請求項１】
インストルメントパネル本体に形成されたエアバッグドア部に対応するシューティング口を有する平面視略矩形の枠体がインストルメントパネル本体の裏面に固定され、上記枠体内にはエアバッグを収容するエアバッグケースが配置され、該エアバッグケースの下部がインストルメントパネル本体又は該インストルメントパネル本体を補強する補強部材に支持され、車両衝突時に上記エアバッグの作動で上記エアバッグドア部を開くように構成されたエアバッグ付インストルメントパネルであって、
上記枠体の内面には、上記エアバッグケースと当接ないし微小間隔をあけて近接する突出片が内方に向かって一体に突設されていることを特徴とするエアバッグ付インストルメントパネル。
【請求項２】
請求項１記載のエアバッグ付インストルメントパネルにおいて、
突出片の一端は枠体の内面に一体に連結され、他端は上記枠体の内面と間隔を有して可撓可能になっていることを特徴とするエアバッグ付インストルメントパネル。
【発明の詳細な説明】
【０００１】
【発明の属する技術分野】
この発明は、車両衝突時にエアバッグの作動で開くエアバッグドア部を有するエアバッグ付インストルメントパネルに関し、特に、エアバッグケースの支持構造に関するものである。
【０００２】
【従来の技術】
上述の如きエアバッグ付インストルメントパネルでは、一般に、エアバッグを収容するエアバッグケースの上部は、インストルメントパネル本体の裏面に固定された平面視略矩形の枠体にフックを介して取り付けられ（例えば、特許文献１参照）、エアバッグケースの下部は、特許文献１には記載されていないが、インストルメントパネル本体又は該インストルメントパネル本体を補強するインパネレインフォースメントに支持されている。
【０００３】
【特許文献１】
特開２００２−２１１３４３号公報（第３頁、図１）
【０００４】
【発明が解決しようとする課題】
ところが、エアバッグケースの下部は、インストルメントパネル本体又はインパネレインフォースメントで下方から支持されてはいるものの、エアバッグケースの上部は、上記の特許文献１のように、フックを単に枠体に引っ掛けているだけであるため、走行時の振動や衝撃でエアバッグケースがガタガタと動いて枠体と当接し騒音が発生する。
【０００５】
そこで、現状では、ウレタンスラブ等の緩衝材をエアバッグケース外面に貼着して枠体との当接による騒音を吸収するようにしているが、緩衝材が別途必要でコストアップになり、貼着作業も必要で組付作業性が低下する。
【０００６】
この発明はかかる点に鑑みてなされたものであり、その目的とするところは、騒音防止用として別部品であるウレタンスラブ等の緩衝材を用いることなく騒音を防止することである。
【０００７】
【課題を解決するための手段】
上記の目的を達成するため、この発明は、エアバッグケースを下部だけでなく上部をも安定支持するようにしたことを特徴とする。
【０００８】
具体的には、この発明は、インストルメントパネル本体に形成されたエアバッグドア部に対応するシューティング口を有する平面視略矩形の枠体がインストルメントパネル本体の裏面に固定され、上記枠体内にはエアバッグを収容するエアバッグケースが配置され、該エアバッグケースの下部がインストルメントパネル本体又は該インストルメントパネル本体を補強する補強部材に支持され、車両衝突時に上記エアバッグの作動で上記エアバッグドア部を開くように構成されたエアバッグ付インストルメントパネルを対象とし、次のような解決手段を講じた。
【０００９】
すなわち、請求項１に記載の発明は、上記枠体の内面には、上記エアバッグケースと当接ないし微小間隔をあけて近接する突出片が内方に向かって一体に突設されていることを特徴とする。
【００１０】
上記の構成により、請求項１に記載の発明では、エアバッグケースは突出片で動きが規制されているため、走行時にがたつきがなく、騒音が発生しない。しかも、その突出片は枠体と一体であるため、騒音防止用として別部品であるウレタンスラブ等の緩衝材がいらず、その分だけコストダウンが図られるとともに、貼着作業が不要で組付作業性が向上する。
【００１１】
請求項２に記載の発明は、請求項１に記載の発明において、突出片の一端は枠体の内面に一体に連結され、他端は上記枠体の内面と間隔を有して可撓可能になっていることを特徴とする。
【００１２】
上記の構成により、請求項２に記載の発明では、エアバッグケースの動きが突出片の撓みによって効果的に吸収され、騒音防止が一層達成される。また、エアバッグケースを枠体内に配置する際、製作誤差等によってエアバッグケースが突出片に当たると、突出片が撓んでエアバッグケースが枠体内にスムーズに配置される。
【００１３】
【発明の実施の形態】
以下、この発明の実施の形態について図面に基づいて説明する。
【００１４】
（実施の形態１）
図４はこの発明の実施の形態１に係るエアバッグ付インストルメントパネルＡの助手席前方部分を示す。図１は図４のＩ−Ｉ線における断面図である。このインストルメントパネルＡは、オレフィン系熱可塑性エラストマー（ＴＰＯ）等の樹脂製基材１と、該基材１表面に一体に被覆されたポリプロピレン（ＰＰ）等の樹脂製表皮３とからなる２層構造のインストルメントパネル本体５を備えている。
【００１５】
上記インストルメントパネル本体５の基材１裏面には、車幅方向及び車体前後方向に延びる平面視略矩形の溝部７が形成され、この溝部７に対応するインストルメントパネル本体５部分が薄肉に形成されて平面視略矩形の破断予定部９が形成されている。そして、この破断予定部９によって囲まれる内側領域により、エアバッグの作動で上記破断予定部９を破断して開くエアバッグドア部１１が形成される。このエアバッグドア部１１は、車両衝突時に上記破断予定部９がインストルメントパネル本体５表面側から識別できない，いわゆるシームレスタイプに構成されている。
【００１６】
上記エアバッグドア部１１及びその周辺のインストルメントパネル本体１裏面には、平面視略矩形の樹脂製枠体１３が振動溶着により固定されている。この枠体１３は、略矩形の筒状枠部１５を備え、該枠部１５上端外周にはフランジ部１７が一体に形成されている。また、枠部１５上端内側には、エアバッグが膨出する矩形シューティング口１９が形成され、該シューティング口１９の車体前方側の一辺には、フラップ部２３が凹状湾曲部からなるヒンジ部２１を介して一体に形成され、上記フラップ部２３は枠部１５との間にコの字形の僅かな隙間をあけて上記シューティング口１９を覆っている。図１中、２５は上記フランジ部１７及びフラップ部２３に形成された振動溶着用の突起であり、この突起２５を介してフランジ部１７及びフラップ部２３がインストルメントパネル本体１裏面に振動溶着され、枠体１３がインストルメントパネル本体１裏面に固定される。
【００１７】
上記枠部１５内には、エアバッグケース２７が配置され、このエアバッグケース２７には、車体前後方向からの衝撃から助手席の乗員を保護するためのエアバッグ２９及びインフレータ等が収容され、エアバッグケース２７に固定されたフック３１をエアバッグ２９の作動時に枠部１５の掛合孔１５ａに引っ掛けるようにしている。
【００１８】
上記エアバッグケース２７下端には、ネジ部材３３が下向きに突設され、このネジ部材３３は金属製ブラケット３５の一端側に形成された貫通孔３５ａに挿入され、ナット３７を上記ネジ部材３３に螺合させることにより上記ブラケット３５がエアバッグケース２７下端に締結されている。また、上記ブラケット３５の他端側は、車幅方向に延びてインストルメントパネル本体５を支持する補強部材としての金属製インパネレインフォースメント３９に溶接により固定されている。これにより、上記エアバッグケース２７下端がインパネレインフォースメント３９にブラケット３５を介して連結支持されている。
【００１９】
この発明の特徴として、上記枠部１５の内面には、図２にも示すように、上記エアバッグケース２７と当接ないし微小間隔をあけてエアバッグケース２７に近接する樹脂製突出片４１が内方に向かって一体に車幅方向に並んで複数個縦向きに突設されている。
【００２０】
このように構成されたインストルメントパネルＡでは、車両が衝突すると、エアバッグ２９がインフレータの作動によって膨張し、その膨張圧力で破断予定部９が破断することにより、エアバッグドア部１１がフラップ部２３と一体となってヒンジ部２１を開作動支点として回動し、車体前方上向きに開くようになっている。
【００２１】
そして、車両走行時にエアバッグケース２７が動こうとしても、このエアバッグケース２７を突出片４１で押さえてその動きを規制して騒音を発生しないようにすることができる。しかも、その突出片４１を枠体１３の枠部１５と一体に形成しているので、騒音防止用として別部品であるウレタンスラブ等の緩衝材を採用せずに済み、その分だけコストダウンを図ることができるとともに、貼着作業を不要にして組付作業性を向上させることができる。
【００２２】
（実施の形態２）
図５〜７はこの発明の実施の形態２に係るエアバッグ付インストルメントパネルＡを示す。この実施の形態２では、突出片４１の上端を枠体１３の枠部１５内面に一体に連結し、下端を上記枠部１５内面と間隔４１ａを有して可撓可能にしている。その他は上記の実施の形態１と同様に構成されているので、同一の構成箇所には同一の符号を付してその詳細な説明を省略する。
【００２３】
したがって、この実施の形態２では、実施の形態１と同様の作用効果を奏することができるものである。加えて、この実施の形態２では、エアバッグケース２７の動きを突出片４１の撓みによって効果的に吸収して騒音防止を一層達成することができる。さらに、エアバッグケース２７を枠部１５内に配置する際、製作誤差等によってエアバッグケース２７が突出片４１に当たると、突出片４１が撓むので、エアバッグケース２７を枠部１５内にスムーズに配置することができる。
【００２４】
なお、実施の形態１，２では、突出片４１を縦向きにして車幅方向に並設したが、横向きにして上下方向に並設してもよい。
【００２５】
また、実施の形態１，２では、枠体１３をインストルメントパネル本体１裏面に振動溶着により溶着したが、超音波溶着や熱カシメ溶着等の他の溶着手段によって溶着してもよい。
【００２６】
さらに、実施の形態１，２において、インストルメントパネル本体１に開口部を形成し、該開口部にインストルメントパネル本体１の一部を構成する別部材としてのパネル材を嵌め込み、このパネル材裏面に枠体１３を固定してもよい。
【００２７】
【発明の効果】
以上説明したように、請求項１に係る発明によれば、枠体の内面にエアバッグケースと当接ないし微小間隔をあけて近接する突出片を内方に向かって一体に突設したので、エアバッグケースの動きを突出片で規制して騒音を防止することができる。しかも、その突出片を枠体と一体にしているので、騒音防止用として別部品であるウレタンスラブ等の緩衝材がいらない分だけコストダウンを図ることができるとともに、貼着作業をなくして組付作業性を向上させることができる。
【００２８】
請求項２に係る発明によれば、突出片の一端を枠体の内面に一体に連結し、他端を上記枠体の内面と間隔を有して可撓可能にしたので、エアバッグケースの動きを突出片の撓みによって効果的に吸収して一層騒音を防止することができる。製作誤差等によってエアバッグケースが突出片に当たっても、突出片の撓みでエアバッグケースを枠体内にスムーズに配置することができる。
【図面の簡単な説明】
【図１】実施の形態１において図４のＩ−Ｉ線における断面図である。
【図２】図１のＩＩ−ＩＩ線における断面図である。
【図３】実施の形態１における突出片の斜視図である。
【図４】エアバッグ付インストルメントパネルの助手席前方部分の斜視図である。
【図５】実施の形態２における図１相当図である。
【図６】図５のＶＩ−ＶＩ線における断面図である。
【図７】実施の形態２における突出片の斜視図である。
【符号の説明】
５            インストルメントパネル本体
１１            エアバッグドア部
１３            枠体
１９            シューティング口
２７            エアバッグケース
３９            インパネレインフォースメント（補強部材）
４１            突出片
４１ａ          間隔
Ａ            インストルメントパネル
【図１】
2004338525.tif 000003
【図２】
2004338525.tif 000004
【図３】
2004338525.tif 000005
【図４】
2004338525.tif 000006
【図５】
2004338525.tif 000007
【図６】
2004338525.tif 000008
【図７】
2004338525.tif 000009